(57)【特許請求の範囲】
【請求項１】
管路中に設けられた変形状態の可撓管を管路内面側から補修した構造であって、
変形した可撓管を跨いで管路内に配置されて環状に組み立てられ円周方向に複数に分割されて環状に連結される連結部と少なくとも一端部に止水ゴムの取付部を備え変形状態に倣う異形の内筒管と、
この異形の内筒管の一端部の止水ゴムの取付部と間隔をあけて管路内面に固定設置され円周方向に複数に分割されて環状に組み立てられる分割固定フランジと、
この分割固定フランジと前記異形の内筒管の一端部の止水ゴムの取付部との間に環状に取り付けられ止水および変形吸収を可能に連結する止水ゴムと、
前記異形の内筒管の他端部に設けられて固定設置され円周方向に複数に分割されて環状に組み立てられる分割固定フランジと、
前記異形の内筒管の外周面に取り付けられ変形した可撓管の内周面に当てて取付位置を定めるとともに、緩衝用の位置決めクッション材と、
を備えてなることを特徴とする変形後可撓管の内面補修構造。
【請求項２】
管路中に設けられた変形状態の可撓管を管路内面側から補修した構造であって、
変形した可撓管を跨いで管路内に配置されて環状に組み立てられ円周方向に複数に分割されて環状に連結される連結部と少なくとも一端部に止水ゴムの取付部を備え変形状態に倣う異形の内筒管と、
この異形の内筒管の両端部の止水ゴムの取付部と間隔をあけて管路内面にそれぞれ固定設置され円周方向に複数に分割されて環状に組み立てられる分割固定フランジと、
この分割固定フランジと前記異形の内筒管の一端部の止水ゴムの取付部との間に環状に取り付けられ止水および変形吸収を可能に連結する止水ゴムと、
前記異形の内筒管の外周面に取り付けられ変形した可撓管の内周面に当てて取付位置を定めるとともに、緩衝用の位置決めクッション材と、
を備えてなることを特徴とする変形後可撓管の内面補修構造。
【請求項３】
前記異形の内筒管の環状に連結する前記連結部をフランジ構造としてパッキンを介して環状に連結する一方、前記分割固定フランジを溶接構造として溶接して環状に組み立てて固定設置したことを特徴とする請求項１または２記載の変形後可撓管の内面補修構造。
【請求項４】
前記異形の内筒管の環状に連結する前記連結部および前記分割固定フランジの管軸と直交する面内での環状に組み立てる連結部のうち少なくとも最後に連結する両端連結面を中心部から外周部に向かって窄まる傾斜面として連結したことを特徴とする請求項１〜３のいずれかに記載の変形後可撓管の内面補修構造。
【請求項５】
前記分割固定フランジと前記異形の内筒管の一端部の止水ゴムの取付部との間に前記止水ゴムの管軸方向への変形量を規制する変形拘束部材を設けたことを特徴とする請求項１〜４のいずれかに記載の変形後可撓管の内面補修構造。
【請求項６】
前記分割固定フランジと前記異形の内筒管の一端部の止水ゴムの取付部との間に取り付ける前記止水ゴムをボルト・ナットで取り付けられる押え板を介して当該止水ゴム自体には、ボルトを貫通させずに締め付けたことを特徴とする請求項１〜５のいずれかに記載の変形後可撓管の内面補修構造。
【請求項７】
補修後の前記分割固定フランジの最上流部と最下流部に、管路内を流れる流体の乱流を防止する整流板を設けたことを特徴とする請求項１〜６いずれかに記載の変形後可撓管の内面補修構造。
【請求項８】
管路中に設けられた変形状態の可撓管を管路内面側から補修するに際し、
変形した可撓管を跨いで管路内に、変形状態に倣うとともに、円周方向に複数に分割され環状に連結する連結部と少なくとも一端部に止水ゴムの取付部を備えた異形の内筒管を配置し、前記異形の内筒管の分割された各部材の外周面に、変形した可撓管の内周面に当てて取付位置を定めるとともに、緩衝用の位置決めクッション材を取り付けて前記連結部を連結して環状に組み立て、
この異形の内筒管の一端部の止水ゴムの取付部と間隔をあけ円周方向に複数に分割された分割固定フランジを環状に組み立てて管路内面に固定設置し、
この分割固定フランジと前記異形の内筒管の一端部の止水ゴムの取付部との間に環状の止水ゴムを取り付けて止水および変形吸収を可能に連結する一方、
前記異形の内筒管の他端部に、円周方向に複数に分割された分割固定フランジを設けて環状に組み立てて管路内面に固定設置するようにしたことを特徴とする変形後可撓管の内面補修方法。
【請求項９】
管路中に設けられた変形状態の可撓管を管路内面側から補修するに際し、
変形した可撓管を跨いで管路内に、変形状態に倣うとともに、円周方向に複数に分割され環状に連結する連結部と両端部に止水ゴムの取付部を備えた異形の内筒管を配置し、前記異形の内筒管の分割された各部材の外周面に、変形した可撓管の内周面に当てて取付位置を定めるとともに、緩衝用の位置決めクッション材を取り付けて前記連結部を連結して環状に組み立て、
この異形の内筒管の両端部の止水ゴムの取付部とそれぞれ間隔をあけ円周方向に複数に分割された分割固定フランジを環状に組み立てて管路内面に固定設置し、
これらの分割固定フランジと前記異形の内筒管の両端部の止水ゴムの取付部との間にそれぞれ環状の止水ゴムを取り付けて止水および変形吸収を可能に連結するようにしたことを特徴とする変形後可撓管の内面補修方法。
【請求項１０】
前記異形の内筒管の環状に連結する前記連結部をフランジ構造としてパッキンを介して環状に連結するようにする一方、前記分割固定フランジを溶接構造として溶接して環状に組み立てて固定設置するようにしたことを特徴とする請求項８または９に記載の変形後可撓管の内面補修方法。
【請求項１１】
前記異形の内筒管の環状に連結する前記連結部および前記分割固定フランジの管軸と直交する面内での環状に組み立てる連結部のうち少なくとも最後に連結する両端連結面を中心部から外周部に向かって窄まる傾斜面として連結するようにしたことを特徴とする請求項８〜１０のいずれかに記載の変形後可撓管の内面補修方法。
【請求項１２】
前記分割固定フランジと前記異形の内筒管の一端部の止水ゴムの取付部との間に前記止水ゴムの管軸方向への変形量を規制する変形拘束部材を設けるようにしたことを特徴とする請求項８〜１１のいずれかに記載の変形後可撓管の内面補修方法。
【請求項１３】
前記分割固定フランジと前記異形の内筒管の一端部の止水ゴムの取付部との間に取り付ける前記止水ゴムをボルト・ナットで取り付けられる押え板を介して当該止水ゴム自体には、ボルトを貫通させずに締め付けるようにしたことを特徴とする請求項８〜１２のいずれかに記載の変形後可撓管の内面補修方法。
【請求項１４】
補修後の前記分割固定フランジの最上流部と最下流部に、管路内を流れる流体の乱流を防止する整流板を設けるようにしたことを特徴とする請求項８〜１３のいずれかに記載の変形後可撓管の内面補修方法。
【発明の詳細な説明】
【技術分野】
【０００１】
この発明は変形後可撓管の内面補修構造及びその補修方法に関し、上下水道、農業用水路、工業用水路などの埋設管路に設置された可撓管が許容値を越えて変形した場合などに、掘削や埋め戻しを行うことなく管路の内面から補修できるようにしたものである。
【背景技術】
【０００２】
上下水道、農業用水路、工業用水路などの埋設管路では、温度変化や地震などによる変形の吸収のために、図９に示すように、管路１の端部などに可撓管２を設けることが行われている。
このような埋設管路１の可撓管２は老朽化や変形量が許容値を越えた場合には、交換する必要がある。しかし、埋設管路の可撓管を交換しようとすると、管路の可撓管周囲の土の掘削・土留め、可撓管の取り替え、土の埋め戻し工事などが必要となり、工期が長くなるとともに、多大なコストがかかる。
そこで、既設の可撓管が破損すると、一気に漏水するなど、管路の使用ができなくなることから変形後の可撓管を管路の内面から補修することが考えられる。
【０００３】
例えば、管路の連結部分の漏えいを管内面から補修する管内面補修継手として、例えば特許文献1には、接続すべき管体の端部内面に管体同士を橋絡するゴムリングを配置し、ゴムリングの内面にゴムリングを管体端部内面に圧接する拡張バンドを配置し、接続すべき管体の端部をゴムリングによりシールするとともに、ゴムリングを内面から拡張バンドを拡張して固定するように構成されている。
【先行技術文献】
【特許文献】
【０００４】
【特許文献１】特開２００８−２５７６７号公報
【発明の概要】
【発明が解決しようとする課題】
【０００５】
ところが、このような管内面補修継手では、ゴムリングを拡張バンドで固定するものであり、ゴムリングによりある程度の可撓性を確保することができるものの、可撓管に比べて変形吸収量に限界があるとともに、拡張バンドでは止水圧力にも限界があり、可撓管を補修する場合に適用しても大きな変形量を吸収することができないという問題がある。
【０００６】
この発明は、上記従来技術の問題点に鑑みてなされたもので、変形後の可撓管を管路内面から補修することができ、補修後には大きな沈下や伸びなどの変形吸収ができるとともに、高い止水圧力を確保することができる変形後可撓管の内面補修構造およびその補修方法を提供しようとするものである。
【課題を解決するための手段】
【０００７】
上記従来技術の課題を解決するこの発明の請求項１記載の変形後可撓管の内面補修構造は、管路中に設けられた変形状態の可撓管を管路内面側から補修した構造であって、変形した可撓管を跨いで管路内に配置されて環状に組み立てられ円周方向に複数に分割されて環状に連結される連結部と少なくとも一端部に止水ゴムの取付部を備え変形状態に倣う異形の内筒管と、この異形の内筒管の一端部の止水ゴムの取付部と間隔をあけて管路内面に固定設置され円周方向に複数に分割されて環状に組み立てられる分割固定フランジと、この分割固定フランジと前記異形の内筒管の一端部の止水ゴムの取付部との間に環状に取り付けられ止水および変形可能に連結する止水ゴムと、前記異形の内筒管の他端部に設けられて固定設置され円周方向に複数に分割されて環状に組み立てられる分割固定フランジと、前記異形の内筒管の外周面に取り付けられ変形した可撓管の内周面に当てて取付位置を定めるとともに、緩衝用の位置決めクッション材と、を備えてなることを特徴とするものである。
【０００８】
この発明の請求項２記載の変形後可撓管の内面補修構造は、管路中に設けられた変形状態の可撓管を管路内面側から補修した構造であって、変形した可撓管を跨いで管路内に配置されて環状に組み立てられ円周方向に複数に分割されて環状に連結される連結部と少なくとも一端部に止水ゴムの取付部を備え変形状態に倣う異形の内筒管と、この異形の内筒管の両端部の止水ゴムの取付部と間隔をあけて管路内面にそれぞれ固定設置され円周方向に複数に分割されて環状に組み立てられる分割固定フランジと、この分割固定フランジと前記異形の内筒管の一端部の止水ゴムの取付部との間に環状に取り付けられ止水および変形可能に連結する止水ゴムと、前記異形の内筒管の外周面に取り付けられ変形した可撓管の内周面に当てて取付位置を定めるとともに、緩衝用の位置決めクッション材と、を備えてなることを特徴とするものである。
【０００９】
この発明の請求項３記載の変形後可撓管の内面補修構造は、請求項１または２記載の構成に加え、前記異形の内筒管の環状に連結する前記連結部をフランジ構造としてパッキンを介して環状に連結する一方、前記分割固定フランジを溶接構造として溶接して環状に組み立てて固定設置したことを特徴とするものである。
【００１０】
この発明の請求項４記載の変形後可撓管の内面補修構造は、請求項１〜３のいずれかに記載の構成に加え、前記異形の内筒管の環状に連結する前記連結部および前記分割固定フランジの管軸と直交する面内での環状に組み立てる連結部のうち少なくとも最後に連結する両端連結面を中心部から外周部に向かって窄まる傾斜面として連結したことを特徴とするものである。
【００１１】
この発明の請求項５記載の変形後可撓管の内面補修構造は、請求項１〜４のいずれかに記載の構成に加え、前記分割固定フランジと前記異形の内筒管の一端部の止水ゴムの取付部との間に前記止水ゴムの管軸方向への変形量を規制する変形拘束部材を設けたことを特徴とするものである。
【００１２】
この発明の請求項６記載の変形後可撓管の内面補修構造は、請求項１〜５のいずれかに記載の構成に加え、前記分割固定フランジと前記異形の内筒管の一端部の止水ゴムの取付部との間に取り付ける前記止水ゴムをボルト・ナットで取り付けられる押え板を介して当該止水ゴム自体には、ボルトを貫通させずに締め付けたことを特徴とするものである。
【００１３】
この発明の請求項７記載の変形後可撓管の内面補修構造は、請求項１〜６いずれかに記載の構成に加え、補修後の前記分割固定フランジの最上流部と最下流部に、管路内を流れる流体の乱流を防止する整流板を設けたことを特徴とするものである。
【００１４】
この発明の請求項８記載の変形後可撓管の内面補修方法は、管路中に設けられた変形状態の可撓管を管路内面側から補修するに際し、変形した可撓管を跨いで管路内に、変形状態に倣うとともに、円周方向に複数に分割され環状に連結する連結部と少なくとも一端部に止水ゴムの取付部を備えた異形の内筒管を配置し、前記異形の内筒管の分割された各部材の外周面に、変形した可撓管の内周面に当てて取付位置を定めるとともに、緩衝用の位置決めクッション材を取り付けて前記連結部を連結して環状に組み立て、この異形の内筒管の一端部の止水ゴムの取付部と間隔をあけ円周方向に複数に分割された分割固定フランジを環状に組み立てて管路内面に固定設置し、この分割固定フランジと前記異形の内筒管の一端部の止水ゴムの取付部との間に環状の止水ゴムを取り付けて止水および変形吸収を可能に連結する一方、前記異形の内筒管の他端部に、円周方向に複数に分割された分割固定フランジを設けて環状に組み立てて管路内面に固定設置するようにしたことを特徴とするものである。
【００１５】
この発明の請求項９記載の変形後可撓管の内面補修方法は、管路中に設けられた変形状態の可撓管を管路内面側から補修するに際し、変形した可撓管を跨いで管路内に、変形状態に倣うとともに、円周方向に複数に分割され環状に連結する連結部と両端部に止水ゴムの取付部を備えた異形の内筒管を配置し、前記異形の内筒管の分割された各部材の外周面に、変形した可撓管の内周面に当てて取付位置を定めるとともに、緩衝用の位置決めクッション材を取り付けて前記連結部を連結して環状に組み立て、この異形の内筒管の両端部の止水ゴムの取付部とそれぞれ間隔をあけ円周方向に複数に分割された分割固定フランジを環状に組み立てて管路内面に固定設置し、これらの分割固定フランジと前記異形の内筒管の両端部の止水ゴムの取付部との間にそれぞれ環状の止水ゴムを取り付けて止水および変形吸収を可能に連結するようにしたことを特徴とするものである。
【００１７】
この発明の請求項１０記載の変形後可撓管の内面補修方法は、請求項８または９に記載の構成に加え、前記異形の内筒管の環状に連結する前記連結部をフランジ構造としてパッキンを介して環状に連結するようにする一方、前記分割固定フランジを溶接構造として溶接して環状に組み立てて固定設置するようにしたことを特徴とするものである。 
【００１８】
この発明の請求項１１記載の変形後可撓管の内面補修方法は、請求項８〜１０のいずれかに記載の構成に加え、前記異形の内筒管の環状に連結する前記連結部および前記分割固定フランジの管軸と直交する面内での環状に組み立てる連結部のうち少なくとも最後に連結する両端連結面を中心部から外周部に向かって窄まる傾斜面として連結するようにしたことを特徴とするものである。
【００１９】
この発明の請求項１２記載の変形後可撓管の内面補修方法は、請求項８〜１１のいずれかに記載の構成に加え、前記分割固定フランジと前記異形の内筒管の一端部の止水ゴムの取付部との間に前記止水ゴムの管軸方向への変形量を規制する変形拘束部材を設けるようにしたことを特徴とするものである。
【００２０】
この発明の請求項１３記載の変形後可撓管の内面補修方法は、請求項８〜１２のいずれかに記載の構成に加え、前記分割固定フランジと前記異形の内筒管の一端部の止水ゴムの取付部との間に取り付ける前記止水ゴムをボルト・ナットで取り付けられる押え板を介して当該止水ゴム自体には、ボルトを貫通させずに締め付けるようにしたことを特徴とするものである。 
【００２１】
この発明の請求項１４記載の変形後可撓管の内面補修方法は、請求項８〜１３のいずれかに記載の構成に加え、補修後の前記分割固定フランジの最上流部と最下流部に、管路内を流れる流体の乱流を防止する整流板を設けるようにしたことを特徴とするものである。
なお、ここで、変形とは、管軸方向への伸縮変形、管軸方向のずれ変形、管軸に対するねじれ変形などの単独変形のほか、つぶれなどの横断面形状の変形やこれらを組合わせた変形など、可撓管に生じる全ての変形を含むものである。
【発明の効果】
【００２２】
この発明の請求項１記載の変形後可撓管の内面補修構造によれば、管路中に設けられた変形状態の可撓管を管路内面側から補修した構造であって、変形した可撓管を跨いで管路内に配置されて環状に組み立てられ円周方向に複数に分割されて環状に連結される連結部と少なくとも一端部に止水ゴムの取付部を備え変形状態に倣う異形の内筒管と、この異形の内筒管の一端部の止水ゴムの取付部と間隔をあけて管路内面に固定設置され円周方向に複数に分割されて環状に組み立てられる分割固定フランジと、この分割固定フランジと前記異形の内筒管の一端部の止水ゴムの取付部との間に環状に取り付けられ止水および変形可能に連結する止水ゴムと、前記異形の内筒管の他端部に設けられて固定設置され円周方向に複数に分割されて環状に組み立てられる分割固定フランジと、前記異形の内筒管の外周面に取り付けられ変形した可撓管の内周面に当てて取付位置を定めるとともに、緩衝用の位置決めクッション材と、を備えているので、可撓管の内側に変形状態に倣う異形の内筒管をクッション材で位置決めしながら環状に組み立てることができ、その一端と間隔をあけて環状に組み立てて固定した分割固定フランジとの間に止水ゴムを取り付けることで可撓性を確保することができる一方、異形の内筒管の他端部には分割固定フランジを設けて可撓管に固定することで、変形後の可撓管の内面に新たな異形の内筒管と止水ゴムによって補修した可撓管を設置した状態にすることができ、短期間に変形吸収量が大きくて止水圧力の高い補修構造を設けることができる。
【００２３】
この発明の請求項２記載の変形後可撓管の内面補修構造によれば、管路中に設けられた変形状態の可撓管を管路内面側から補修した構造であって、変形した可撓管を跨いで管路内に配置されて環状に組み立てられ円周方向に複数に分割されて環状に連結される連結部と少なくとも一端部に止水ゴムの取付部を備え変形状態に倣う異形の内筒管と、この異形の内筒管の両端部の止水ゴムの取付部と間隔をあけて管路内面にそれぞれ固定設置され円周方向に複数に分割されて環状に組み立てられる分割固定フランジと、この分割固定フランジと前記異形の内筒管の一端部の止水ゴムの取付部との間に環状に取り付けられ止水および変形吸収を可能に連結する止水ゴムと、前記異形の内筒管の外周面に取り付けられ変形した可撓管の内周面に当てて取付位置を定めるとともに、緩衝用の位置決めクッション材と、を備えているので、可撓管の内側に変形状態に倣う異形の内筒管をクッション材で位置決めしながら環状に組み立てることができ、その両端と間隔をあけて環状に組み立てて固定した分割固定フランジとの間に止水ゴムを取り付けることで、両端の止水ゴムで可撓性を確保することができるとともに、変形後の可撓管の内面に新たな異形の内筒管と止水ゴムによって補修した可撓管を設置した状態にすることができ、短期間に一層変形吸収量が大きくて止水圧力の高い補修構造を設けることができる。
【００２４】
この発明の請求項３記載の変形後可撓管の内面補修構造によれば、前記異形の内筒管の環状に連結する前記連結部をフランジ構造としてパッキンを介して環状に連結する一方、前記分割固定フランジを溶接構造として溶接して環状に組み立てて固定設置したので、フランジ構造の異形の内筒管によって変形後の管路内に容易に搬入して組み立てることができるとともに、分割固定フランジは溶接構造とすることで強固に取り付けて完全な止水性を確保することができる。
【００２５】
この発明の請求項４記載の変形後可撓管の内面補修構造によれば、前記異形の内筒管の環状に連結する前記連結部および前記分割固定フランジの管軸と直交する面内での環状に組み立てる連結部のうち少なくとも最後に連結する両端連結面を中心部から外周部に向かって窄まる傾斜面として連結したので、異形の内筒管や分割固定フランジの最後の部材を組み立てる場合に傾斜面によって嵌め込み易く、管路内でも容易に組み立てることができる。
【００２６】
この発明の請求項５記載の変形後可撓管の内面補修構造によれば、前記分割固定フランジと前記異形の内筒管の一端部の止水ゴムの取付部との間に前記止水ゴムの管軸方向への変形量を規制する変形位拘束部材を設けたので、変形拘束部材によってそれ以上の変形を規制することができ、止水ゴムの片利き変形や止水ゴムの損傷を防止することができる。
【００２７】
この発明の請求項６記載の変形後可撓管の内面補修構造によれば、前記分割固定フランジと前記異形の内筒管の一端部の止水ゴムの取付部との間に取り付ける前記止水ゴムをボルト・ナットで取り付けられる押え板を介して当該止水ゴム自体には、ボルトを貫通させずに締め付けたので、止水ゴムにボルト穴加工を行う必要がなく、止水ゴムの取り付けを短時間に行うことができる。
【００２８】
この発明の請求項７記載の変形後可撓管の内面補修構造によれば、補修後の前記分割固定フランジの最上流部と最下流部に、管路内を流れる流体の乱流を防止する整流板を設けたので、管路内に新たな補修構造を設けても整流板によって管路内を流れる流体が乱流となることを防止することができ、流水抵抗を小さく抑えて円滑に内部流体を流すことができる。
【００２９】
この発明の請求項８記載の変形後可撓管の内面補修方法によれば、管路中に設けられた変形状態の可撓管を管路内面側から補修するに際し、変形した可撓管を跨いで管路内に、変形状態に倣うとともに、円周方向に複数に分割され環状に連結する連結部と少なくとも一端部に止水ゴムの取付部を備えた異形の内筒管を配置し、前記異形の内筒管の分割された各部材の外周面に、変形した可撓管の内周面に当てて取付位置を定めるとともに、緩衝用の位置決めクッション材を取り付けて前記連結部を連結して環状に組み立て、この異形の内筒管の一端部の止水ゴムの取付部と間隔をあけ円周方向に複数に分割された分割固定フランジを環状に組み立てて管路内面に固定設置し、この分割固定フランジと前記異形の内筒管の一端部の止水ゴムの取付部との間に環状の止水ゴムを取り付けて止水および変形吸収を可能に連結する一方、前記異形の内筒管の他端部に、円周方向に複数に分割された分割固定フランジを設けて環状に組み立てて管路内面に固定設置するようにしたので、可撓管の内側に変形状態に倣う異形の内筒管を環状に組み立てることができ、その一端と間隔をあけて環状に組み立てて固定した分割固定フランジとの間に止水ゴムを取り付けることで可撓性を確保することができる一方、異形の内筒管の他端部に分割固定フランジを設けて可撓管の管胴部に固定することで、変形後の可撓管の内面に新たな異形の内筒管と止水ゴムによって補修した可撓管を設置することができ、短期間に変形吸収量が大きくて止水圧力の高い補修構造を施工することができる。
また、異形の内筒管の分割された各部材の外周面に、変形した可撓管の内周面に当てて取付位置を定めるとともに、緩衝用の位置決めクッション材を取り付けるようにしたので、可撓管の内側に変形状態に倣う異形の内筒管をクッション材で位置決めしながら環状に組み立てることができるとともに、クッション材によって外側の可撓管との間で直接力などが加わらないように緩衝することができる。
【００３０】
この発明の請求項９記載の変形後可撓管の内面補修方法によれば、管路中に設けられた変形状態の可撓管を管路内面側から補修するに際し、変形した可撓管を跨いで管路内に、変形状態に倣うとともに、円周方向に複数に分割され環状に連結する連結部と両端部に止水ゴムの取付部を備えた異形の内筒管を配置し、前記異形の内筒管の分割された各部材の外周面に、変形した可撓管の内周面に当てて取付位置を定めるとともに、緩衝用の位置決めクッション材を取り付けて前記連結部を連結して環状に組み立て、この異形の内筒管の両端部の止水ゴムの取付部とそれぞれ間隔をあけ円周方向に複数に分割された分割固定フランジを環状に組み立てて管路内面に固定設置し、これらの分割固定フランジと前記異形の内筒管の両端部の止水ゴムの取付部との間にそれぞれ環状の止水ゴムを取り付けて止水および変形吸収を可能に連結するようにしたので、可撓管の内側に変形状態に倣う異形の内筒管を環状に組み立てることができ、その両端と間隔をあけて環状に組み立てて固定した分割固定フランジとの間に止水ゴムを取り付けることで、両端の止水ゴムで可撓性を確保することができるとともに、変形後の可撓管の内面に新たな異形の内筒管と止水ゴムによって補修した可撓管を設置することができ、短期間により一層変形吸収量が大きくて止水圧力の高い補修構造を施工することができる。
また、異形の内筒管の分割された各部材の外周面に、変形した可撓管の内周面に当てて取付位置を定めるとともに、緩衝用の位置決めクッション材を取り付けるようにしたので、可撓管の内側に変形状態に倣う異形の内筒管をクッション材で位置決めしながら環状に組み立てることができるとともに、クッション材によって外側の可撓管との間で直接力などが加わらないように緩衝することができる。
【００３２】
この発明の請求項１０記載の変形後可撓管の内面補修方法によれば、前記異形の内筒管の環状に連結する前記連結部をフランジ構造としてパッキンを介して環状に連結するようにする一方、前記分割固定フランジを溶接構造として溶接して環状に組み立てて固定設置するようにしたので、フランジ構造の異形の内筒管によって変形後の管路内に容易に搬入して組み立てることができるとともに、分割固定フランジを溶接構造とすることで強固に取り付け、完全な止水性を確保することができる。
【００３３】
この発明の請求項１１記載の変形後可撓管の内面補修方法によれば、前記異形の内筒管の環状に連結する前記連結部および前記分割固定フランジの管軸と直交する面内での環状に組み立てる連結部のうち少なくとも最後に連結する両端連結面を中心部から外周部に向かって窄まる傾斜面として連結するようにしたので、異形の内筒管や分割固定フランジの最後の部材を組み立てる場合に傾斜面によって嵌め込み易く、管路内でも容易に組み立てることができる。
【００３４】
この発明の請求項１２記載の変形後可撓管の内面補修方法によれば、前記分割固定フランジと前記異形の内筒管の一端部の止水ゴムの取付部との間に前記止水ゴムの管軸方向への変形量を規制する変形拘束部材を設けるようにしたので、変形拘束部材によってそれ以上の変形を規制することができ、止水ゴムの片利き変形や止水ゴムの損傷を防止することができる。
【００３５】
この発明の請求項１３記載の変形後可撓管の内面補修方法によれば、前記分割固定フランジと前記異形の内筒管の一端部の止水ゴムの取付部との間に取り付ける前記止水ゴムを、ボルト・ナットで取り付けられる押え板を介して当該止水ゴム自体には、ボルトを貫通させずに締め付けるようにしたので、止水ゴムにボルト穴加工を行う必要がなく、止水ゴムの取り付けを短時間に行うことができる。
【００３６】
この発明の請求項１４記載の変形後可撓管の内面補修方法によれば、補修後の前記分割固定フランジの最上流部と最下流部に、管路内を流れる流体の乱流を防止する整流板を設けるようにしたので、管路内に新たな補修構造を設けても整流板によって管路内を流れる流体が乱流となることを防止することができ、流水抵抗を小さく抑えて円滑に内部流体を流すことができる。
【図面の簡単な説明】
【００３７】
【図１】この発明の変形後可撓管の内面補修構造およびその補修方法の一実施の形態にかかる半裁した概略縦断面図である。
【図２】この発明の変形後可撓管の内面補修構造およびその補修方法の一実施の形態にかかる部分拡大縦断面図である。
【図３】この発明の変形後可撓管の内面補修構造およびその補修方法の一実施の形態にかかり、（ａ）は異形の内筒管の半裁した縦断面図、（ｂ）は分割固定フランジの半裁した縦断面図である。
【図４】この発明の変形後可撓管の内面補修構造およびその補修方法の一実施の形態にかかる異形の内筒管のフランジの形状の説明図である。
【図５】この発明の変形後可撓管の内面補修構造およびその補修方法の一実施の形態にかかる止水ゴムの横断面図である。
【図６】この発明の変形後可撓管の内面補修構造およびその補修方法の一実施の形態にかかり、（ａ）は押え板の正面図、（ｂ）は横断面図である。
【図７】この発明の変形後可撓管の内面補修構造およびその補修方法の他の一実施の形態にかかる部分拡大縦断面図である。
【図８】この発明の変形後可撓管の内面補修構造およびその補修方法のさらに他の一実施の形態にかかる部分拡大縦断面図である。
【図９】この発明が適用される変形後の可撓管の概略説明図である。
【発明を実施するための形態】
【００３８】
以下、この発明の変形後可撓管の内面補修構造及びその補修方法を実施するための形態について図面を参照して詳細に説明する。
この発明が適用される変形後の可撓管２は、図９で説明したように、管路１中に設けられて地中に埋設されており、例えば横断面形状を円形に保持したまま沈下によって下方に偏心した状態となっている場合で説明する。なお、可撓管２の変形は、実際には、３次元的に偏心している場合や横断面形状が円形でなく潰れている場合が組み合わされており、この場合にも同様に適用できるものである。
以下、この辺以後の可撓管の内面補修構造１０をその補修方法の工程にしたがって順に説明する。
【００３９】
この変形後の可撓管の内面補修構造１０では、既設の変形が生じた状態の可撓管２の管路１の内面側から可撓管２の沈下（偏心）量、伸縮量、内径の歪寸法（天地、左右、斜め）の調査測定を行い、その結果に基づき必要な部材の手配、製作を行っておく。
また、可撓管２の内面には、変形後の可撓管の内面補修構造１０を施工する場合に基準となる基準線として、例えば内面頂部と管底部には通り芯をけがくとともに、必要に応じて部材の取付位置を円周方向および軸方向にけがいておく。
【００４０】
この変形後の可撓管の内面補修構造１０では、変形した可撓管の変形に倣った形状で可撓部分を越えて両端部の可撓管管胴部に跨る管軸方向の長さとされ、円周方向には、複数、たとえば１０個に分割した異形の内筒管１１を用意し、分割された各異形の内筒管分割部材１１ａをフランジ構造とし、半径方向の通常の平面の平面フランジ部１１ｂと傾斜面の傾斜フランジ部１１ｃで連結できるようにしてある。
そして、最後に連結する１０番目の異形の内筒管分割部材１１ａの両端部の傾斜フランジ部１１ｃは、中心から外周に向かって窄まる傾斜面とされるとともに、１番目および９番目の異形の内筒管分割部材１１ａの対向するフランジ部も傾斜フランジ部１１ｃとしてあり、内側から押し込むようにして簡単に連結できるようにしてある。この最後に連結する両端に傾斜フランジ１１ｃを備えた異形の内筒管分割部材１１ａは、たとえば可撓管２の天面部分に配置したり、左右いずれかの側面部分に配置され、最後の連結が容易にできるようにする。
この異形の内筒管１１には、両端部に管軸直角方向で中心側に突き出す連結用フランジ部１１ｄが溶接により一体とされ、止水ゴム１４を取り付けるためのボルト孔１１ｅが形成してある。
また、異形の内筒管１１には、連結用フランジ１１ｄの外側に管部分を延長したバックアップ部１１ｆが設けてあり、後述する止水ゴム１４が内水圧等により反転変形することを防止する。
【００４１】
この異形の内筒管１１を変形後の可撓管２の内面で環状に組み立てる際には、調査計測結果に基づいて可撓管２に対して異形の内筒管１１を芯出し状態にするとともに、緩衝機能を発揮させる発泡ゴムで作られたクッション材１２が用いられ、分割されたクッション部材１２ａを円周方向に接着剤で貼り付けながら可撓管２内に設置する。
このようなクッション材１２の内側に異形の内筒管１１の異形の内筒管分割部材１１ａを当てるようにし、平面フランジ部１１ｂの間および傾斜フランジ部１１ｃの間にそれぞれ一体のパッキンを挟み、ボルト・ナット１１ｇで締め付けることで、環状に組み立てて止水状態に連結される。
【００４２】
この異形の内筒管１１の両端部の管軸方向外方には、間隔をあけて分割固定フランジ１３が設けられる。
この分割固定フランジ１３は円周方向に複数、たとえば４〜６個に分割され、管軸直角方向で中心側に突き出した各固定用フランジ部材１３ａが溶接構造とされ、各固定用フランジ部材１３ａの外周面が可撓管２の管胴部２ａの内面に溶接されて固定されるとともに、円周方向の連結面も溶接されて環状に組み立てられ、連結部分は溶接による完全止水状態とされる。この分割固定フランジ１３にも円周方向に沿って止水ゴムを取り付けるためのボルト孔１３ｂが形成してある。
また、分割固定フランジ１３には、各固定用フランジ部材１３ａから異形の内筒管１１側に突き出して異形の内筒管１１のバックアップ部１２ｆと対向するバックアップ部１３ｃが溶接して設けてあり、後述する止水ゴムが内水圧等により反転変形することを防止する。
【００４３】
このような可撓管２の管胴部２ａに溶接固定して環状に組み立てられた２つの分割固定フランジ１３と、この間に設置して環状に組み立てられた異形の内筒管１１との間には、止水ゴム１４が取り付けられる。この止水ゴム１４は、両端部の分割固定フランジ１３,１３と異形の内筒管１２との可撓性を確保し、かつ止水性を確保するものである。
ここでは、止水ゴム１４として止水ゴム１４自体にボルト孔を形成することなく、押え板１５を用いて固定するものが用いられ、押え板１５を止水ゴム用のボルト孔１１ｅ，１３ｂにボルト・ナット１６で締め付けるようになっている。
【００４４】
止水ゴム１４は、両端部にフランジ部１１ｄ，１３ａと平行なリング状取付部１４ａを備え、外側面に同心上に２条の突条部１４ｂが形成されて面圧を高めて取り付けできるようにしてある。これら両端のリング状取付部１４ａ，１４ａの内側にそれぞれ円筒部１４ｃ，１４ｃが設けられ、円筒部１４ｃ，１４ｃの間に伸縮部となる管軸中心側に窪んだ伸縮凹部１４ｄが形成されている。
【００４５】
止水ゴム１４を固定する押え板１５は、円周方向に複数に分割された円弧状とされ、これらを間隔をあけて使用設置するもので、１つの押え板１５には、２箇所のボルト孔１５ａが形成され、例えば２８個の押え板１５を用いて止水ゴム１４を環状に固定する。
この円弧状の押え板１５には、外周端部に止水ゴム１４の円筒部１４ｃの内周面側に当てる外周押え部１５ｂが設けられるとともに、内周端部に止水ゴム１４のリング状取付部１４ａを締め付けた状態での厚さに対応して突出してフランジ部１１ｄ，１３ａに当てる内周当接部１５ｃが設けてある。
【００４６】
このような押え板１５は、止水ゴム１４の円筒部１４ｃの内周面に押え板１５の外周押え部１５ｂを当てるとともに、押え板１５の円弧状の内面でリング状取付部１４ａを挟むようにし、ボルト・ナット１６で異形の内筒管１１の連結用フランジ部１１ｄのボルト孔１１ｅや分割固定フランジ１３の固定用フランジ部１３ａのボルト孔１３ｂに締め付けて固定する。この止水ゴム１４の取り付け状態では、ボルト・ナット１６の外周側に止水ゴム１４のリング状取付部１４ａの内周端面が位置し、ボルト孔を形成することなく、締め付けて固定できる。
【００４７】
また、この変形後の可撓管の内面補修構造１０およびその補修方法では、止水ゴム１４が許容範囲を越えて変形することを防止するため、変形拘束部材１７が円周方向に複数設置され、両端部にねじが形成された拘束用ねじ棒１７ａにダブルナット１７ｂを許容変形量を加えた長さ位置に締め付けて、異形の内筒管１１の連結用フランジ部１１ｄと分割固定フランジ１３の固定用フランジ部１３ａとの間に取り付けてある。なお、変形拘束部材１７は、ねじ棒とダブルナットに限らず、変形を拘束できるものであれば良い。
【００４８】
さらに、この変形後の可撓管の内面補修構造１０およびその補修方法では、これまでの可撓管２の内面に新たに内面補修構造１０が設置されることとなり、内部流体の流れを乱す恐れがあることから、必要に応じて環状の整流板１８を上流側の分割固定フランジ１３の上流側および下流側の分割固定フランジ１３の下流側にそれぞれ溶接やボルト・ナットなどで固定設置してある。
【００４９】
このような変形後の可撓管の内面補修構造１０およびその補修方法によれば、以下に説明する効果を奏する。
変形後の可撓管２を管路1の内面から補修することができ、可撓管２の周囲の土の掘削、鋼矢板による土留め、管路の切断、新規可撓管（鋼製異形管）の設置（溶接）、埋め戻しなどの工程が不要となり、工程を削減できるとともに、工事期間の短縮や工事費用を低減を図ることができる。
また、変形後の可撓管２に取り付ける分割固定フランジ１３を溶接構造として溶接により一体化することができ、内部流体の流速などの影響により離脱することがなく完全な止水状態で固定設置することができる。
さらに、変形後の可撓管２の内側に変形に倣った異形の内筒管１１を分割してフランジ構造で組み立てるようにしたので、個々の部材を小さく、軽量として運搬が容易にできるとともに、最後に取り付けるフランジ部を傾斜フランジ面１１ｃとしてあるので、嵌め込み易く、施工性を向上することができる。
また、異形の内筒管１１を設置する場合に発泡ゴムなどのクッション材１２を介在させるようにしたので、分割した異形の内筒管分割部材１１ａを組み立てる場合も簡単に芯出しを行って施工できるとともに、クッション材１２によって緩衝することができ、既存可撓管の損傷などを防止することができる。
さらに、異形の内筒管１１の上、下流両端部と分割固定フランジ１３との間にそれぞれの止水ゴム１４を取り付けるようにしたので、補修後に大きな変形（沈下および伸び変形）が生じても吸収することができる。
また、異形の内筒管１１と分割固定フランジ１３との間に変形拘束部材１７を設けた場合には、止水ゴム１４の変形量を規制することができ、過大な変形量による止水ゴム１４の損傷や上、下流の止水ゴム１４の片利き変形などを防止することができる。
さらに、異形の内筒管１１にバックアップ部１１ｆを設けるとともに、分割固定フランジ１３にもバックアップ部１３ｃを設けたので、止水ゴム１４が反転しようとしてもこれらバックアップ部１１ｆ，１３ｃによって阻止され、反転したり、脱落することを防止することができる。
また、補修構造の上流側と下流側にそれぞれ整流板１８を設けるようにしたので、管路内に突き出す部分があっても内部流体に乱流が生じないようにすることができる。
【００５０】
次に、この発明の変形後の可撓管の内面補修構造およびその補修方法の他の実施の形態について説明するが、すでに説明した上記の実施の形態と同一部分には、同一記号を記し、重複する説明は省略する。
この変形後の可撓管の内面補修構造１０Ａでは、溶接構造とした分割固定フランジ２１の構造が異なり、可撓管２の管胴部２ａに溶接する溶接固定部２１ａと、この溶接固定部２１ａにパッキンおよびボルト・ナット２１ｂを介して連結される固定用フランジ部２１ｃとに分割して構成されている。溶接固定部２１ａおよび固定用フランジ部２１ｃは、分割固定フランジ１３と同様に、円周方向に複数に分割され、溶接することで環状に組み立てられるようにしてある。
なお、固定用フランジ部２１ｃは、可撓管２の管胴部２ａの内面との間に空間を確保することができることから変形後の可撓管２の変形の状況によっては円周方向に分割しない環状の一体構造とすることもできる。
この分割固定フランジ２１以外の構成は、すでに説明した変形後の可撓管の内面補修構造１０およびその補修方法と同一である。
このような分割固定フランジ２１を用いた変形後の可撓管の内面補修構造１０Ａおよびその補修方法によれば、すでに説明した変形後の可撓管の内面補修構造１０およびその補修方法と同一の効果を奏するほか、次のような効果を奏する。
溶接する溶接固定部２１ａを軽量にすることができ、溶接作業を簡単に行うことができる。
また、溶接固定部２１ａと固定用フランジ部２１ｃとのパッキンおよびボルト・ナット２１ｂによる固定の工程と、固定用フランジ部２１ｃへの止水ゴム１４の取り付けなどの工程を入れ替えて行うことができ、施工の自由度を向上することができる。
【００５１】
次に、変形後の可撓管の内面補修構造１０Ｂでは、溶接構造とした分割固定フランジ３１の構造が異なり、可撓管２の管胴部２ａに溶接することなく固定できるようにしたものであり、ゴムリング押え板３１ａと固定用フランジ部３１ｂとで両側からゴムリング３１ｃを挟むようにして可撓管２の内面に押し付けることで固定するようにしている。
この分割固定フランジ３１では、ゴムリング押え板３１aは横断面形状が略コ字状とされ、外周側のゴムリング押え部３１ｄの突き出し量が小さく、内周側の脚部３１ｅの突き出し量が大きくしてあり、これらの突き出し量の差によってゴムリング３１ｃの押圧量が設定されるようになっている。
また、ゴムリング押え板３１ａの側面部３１ｆにボルト孔３１ｇが形成してある。そして、このようなゴムリング押え板３１ａは円周方向に複数に分割されたものを略環状に配置して使用するが、円周方向の連結部は、必ずしも止水状態に組み立てる必要はなく、ゴムリング３１ｃで止水状態が確保される。
固定用フランジ部３１ｂは、上端部外側（補修構造１０Ｂの外側：上流側の分割固定フランジではその上流側および下流側の分割固定フランジではその下流側）の角部が切り欠かれた傾斜面３１ｈとされてゴムリング３１ｃを押えて外周側に押し付けることができ、この押し付け力で分割固定フランジ３１を固定状態にするようにしてある。そして、固定用フランジ部３１ｂの外側に締付ボルト３１ｉが溶接してある。
固定用フランジ部３１ｂは、分割固定フランジ１３、２１と同様に、円周方向に複数に分割され、溶接することで環状に組み立てられ止水状態を保持できるようにしてある。
なお、この分割固定フランジ３１以外の構成は、すでに説明した変形後の可撓管の内面補修構造１０，１０Ａおよびその補修方法と同一である。
【００５２】
このような分割固定フランジ３１を用いた変形後の可撓管の内面補修構造１０Ｂおよびその補修方法によれば、すでに説明した変形後の可撓管の内面補修構造１０、およびその補修方法と同一の効果を奏するほか、次のような効果を奏する。
分割固定フランジ３１を変形後の可撓管２に溶接することなく締付ボルト３１ｉなどのボルト・ナットなどで固定することができ、可撓管２の管胴部２ａが鋼製ではなく溶接できない素材であっても内面補修を行うことができる。
【００５３】
なお、上記各実施の形態では、止水ゴムとして伸縮凹部を1か所設け、ボルトレスで固定する形式のもので説明したが、これに限らず他の形状の止水ゴムで構成することができるとともに、取付方法もボルト・ナットで固定するものであっても良い。
また、この発明は、上記実施の対応に限定するものでなく、この発明の範囲で広く適用できるものである。
【符号の説明】
【００５４】
１          変形後の可撓管
２          可撓管
２ａ        管胴部
１０        変形後の可撓管の内面補修構造
１１        異形の内筒管
１１ａ      異形の内筒管分割部材
１１ｂ      平面フランジ部
１１ｃ      傾斜フランジ部
１１ｄ      連結用フランジ部
１１ｅ      ボルト孔
１１ｆ      バックアップ部
１１ｇ      ボルト・ナット
１２        クッション材
１２ａ      クッション部材
１３        分割固定フランジ
１３ａ      固定用フランジ部
１３ｂ      ボルト孔
１３ｃ      バックアップ部
１４        止水ゴム
１４ａ      リング状取付部
１４ｂ      突条部
１４ｃ      円筒部
１４ｄ      伸縮凹部
１５        押え板
１５ａ      ボルト孔
１５ｂ      外周押え部
１５ｃ      内周押え部
１６        ボルト・ナット
１７        変形拘束部材
１７ａ      拘束用ねじ棒
１７ｂ      ダブルナット
１８        整流板
１０Ａ      変形後の可撓管の内面補修構造
２１        分割固定フランジ
２１ａ      溶接固定部
２１ｂ      パッキン、ボルト・ナット
２１ｃ      固定用フランジ部
１０Ｂ      変形後の可撓管の内面補修構造
３１        分割固定フランジ
３１ａ      ゴムリング押え板
３１ｂ      固定用フランジ部
３１ｃ      ゴムリング
３１ｄ      ゴムリング押え部
３１ｅ      脚部
３１ｆ      側面部
３１ｇ      ボルト孔
３１ｈ      傾斜面
３１ｉ      締付ボルト
【図１】
0006019438.tif 000002
【図２】
0006019438.tif 000003
【図３】
0006019438.tif 000004
【図４】
0006019438.tif 000005
【図５】
0006019438.tif 000006
【図６】
0006019438.tif 000007
【図７】
0006019438.tif 000008
【図８】
0006019438.tif 000009
【図９】
0006019438.tif 000010